(57)【要約】【課題】システムの起動時間が短縮されたＳＯＦＣシステムを提供すること。【解決手段】一実施形態に記載された発明は、セルとセパレータとを交互に直列に積層したセルスタック１と、前記セルスタック１を囲むように配置された誘導加熱用のコイル２と、前記誘導加熱用のコイル２に交流電流を供給する電流供給手段とを備え、前記電流供給手段は、システム起動時に、前記誘導加熱用のコイル２に交流電流を供給することにより、前記セルスタック１を誘導加熱することを特徴とする固体酸化物形燃料電池システムである。この固体酸化物形燃料電池システムにおいて、誘導加熱用のコイル２は、セルスタック１のサイズや形状に応じて、コイル径、巻き数、形状が調整されていることや、耐熱鋼または耐熱銅合金であることが好ましい。また、誘導加熱用のコイル２の表面を酸化皮膜でコーティングすることや誘導加熱用のコイル２の表面を覆う酸化皮膜は、透磁率が小さく、厚みもなるべく薄い材料を用いられることが好ましい。【選択図】図１
2015141799.tif 000002
【特許請求の範囲】
【請求項１】
セルとセパレータとを交互に直列に積層したセルスタックと、
前記セルスタックを囲むように配置された誘導加熱用のコイルと、
前記誘導加熱用のコイルに交流電流を供給する電流供給手段とを備え、
前記電流供給手段は、システム起動時に、前記誘導加熱用のコイルに交流電流を供給することにより、前記セルスタックを誘導加熱することを特徴とする固体酸化物形燃料電池システム。
【請求項２】
前記誘導加熱用のコイルは、前記セルスタックのサイズや形状に応じて、コイル径、巻き数、形状が調整されていることを特徴とする請求項１に記載の固体酸化物形燃料電池システム。
【請求項３】
前記誘導加熱用のコイルは、耐熱鋼または耐熱銅合金であることを特徴とする請求項１または２に記載の固体酸化物形燃料電池システム。
【請求項４】
前記誘導加熱用のコイルの表面を酸化皮膜でコーティングすることを特徴とする請求項１から３のいずれかに記載の固体酸化物形燃料電池システム。
【請求項５】
前記誘導加熱用のコイルの表面を覆う酸化皮膜は、透磁率が小さく、厚みもなるべく薄い材料であることを特徴とする請求項４に記載の固体酸化物形燃料電池システム。
【発明の詳細な説明】
【技術分野】
【０００１】
本発明は固体酸化物形燃料電池システムに関する。
【背景技術】
【０００２】
燃料電池は、電解質層を挟んでその表裏面に燃料極と空気極を備えたセルに対し、燃料ガス（水素）と酸化剤ガス（空気）を供給することで、水素の酸化に伴う水の生成ギブスエネルギーを電気エネルギーとして取り出す発電装置である。燃料電池の中で、セルの電解質層が固体酸化物から成るものは固体酸化物形燃料電池（ＳＯＦＣ：Ｓｏｌｉｄ  Ｏｘｉｄｅ  Ｆｕｅｌ  Ｃｅｌｌ）と呼ばれている。
【０００３】
ＳＯＦＣは、セルとセルの各電極に燃料ガスもしくは酸化剤ガスを互いに混じり合うことなく供給し、単セル同士を電気的に接続する機能を有するセパレータとで構成される。単セルで得られる電圧は約０．７Ｖ程度であるため、ＳＯＦＣはセルとセパレータを複数直列に積層（スタック）して所望の出力としている。セルスタックは酸化物や金属で構成されているが、近年ＳＯＦＣの低温動作化が進んだことにより金属製のセパレータが多く用いられるようになっている。
【０００４】
ＳＯＦＣシステムは、発電を担うセルスタックと、スタックを内蔵して発電に必要な環境を維持するモジュールと、更にセルスタックに供給する燃料や酸化剤ガスを制御する制御装置や補助機器から成るＢａｌａｎｃｅ  ｏｆ  Ｐｌａｎｔ（ＢＯＰ）から構成される。
【０００５】
ＳＯＦＣは、６００℃以上という他の燃料電池よりも高温で動作する。そのため、エネルギー変換効率が高く、熱も複合利用可能という利点を有している。更に燃料として水素ガスだけでなく都市ガスやＬＰＧ、バイオガスなども使用することができるという特徴がある。
【０００６】
従って、エネルギー問題が注目されている現在、ＳＯＦＣシステムは家庭用から業務用までの分散電源として広く普及することが期待できる技術と言える。
【先行技術文献】
【非特許文献】
【０００７】
【非特許文献１】James Larminie / Andrew Dicks「解説  燃料電池システム」2004,pp19-20
【発明の概要】
【発明が解決しようとする課題】
【０００８】
ＳＯＦＣシステムの起動過程では、基本的に動作温度に至るまでバーナや燃焼器などの外部熱源によりセルスタックが加熱される。しかし、上述の通りセルスタックはセラミックスと金属の集合体であり、その材質や大きさ・形状にも依るが一般的に熱容量が大きいため、動作温度まで昇温するのに数時間程度かかることになる。すなわちＳＯＦＣは、その高い動作温度のためにシステムの起動に時間がかかるという問題がある。
【０００９】
本発明は上記従来の問題に鑑みなされたものであって、本発明の課題は、システムの起動時間が短縮されたＳＯＦＣシステムを提供することにある。
【課題を解決するための手段】
【００１０】
上記の課題を解決するために、一実施形態に記載された発明は、セルとセパレータとを交互に直列に積層したセルスタックと、前記セルスタックを囲むように配置された誘導加熱用のコイルと、前記誘導加熱用のコイルに交流電流を供給する電流供給手段とを備えたことを特徴とする固体酸化物形燃料電池システムである。
【図面の簡単な説明】
【００１１】
【図１】本実施形態の固体酸化物形燃料電池システムを示す図である。
【図２】本実施形態の固体酸化物形燃料電池システムのコイルの一部を断面で示す図である。
【発明を実施するための形態】
【００１２】
以下、本発明の実施の形態について、詳細に説明する。
【００１３】
本実施形態の固体酸化物形燃料電池システムは、セルスタックを昇温するために誘導加熱方式の加熱機構を備えている。加熱機構は、誘導加熱用のコイルの内側にセルスタックが設置されている構成を有している。すなわち、セルスタック内部を含めたセルスタック全体の金属材料を発熱させるように、誘導加熱用のコイルがセルスタックの周囲全体に配置されている。この構成により、誘導加熱用のコイルに高周波の交流電流を流すことで発生する磁場が、セルスタック中の導電性材料に渦電流を発生させ、導電性材料を自己発熱させることができる。そのため、セルスタックの外部から加熱するだけの方法よりも、高速に加熱・昇温することが可能になる。加熱速度は誘導加熱用のコイルの出力によるため、昇温速度や温度制御が容易である。
【００１４】
また、加熱機構は、誘導加熱用のコイルに交流電流を供給する電流供給手段を備えており、電流供給手段が、システム起動時に、誘導加熱用のコイルに交流電流を供給することにより、セルスタックを誘導加熱している。この構成により、セルスタックの温度を急速に昇温することでＳＯＦＣシステムの動作温度に到るまでの時間が短縮され、結果としてＳＯＦＣシステムの起動時間を短縮できる。
【００１５】
本実施形態の固体酸化物形燃料電池システムでは、導電性材料を含む被加熱物質を急速に昇温する方法として、誘導加熱による加熱方法を採用している。誘導加熱の原理は次の通りである。セルスタックの周囲全体に配置された誘導加熱用コイルに交流電流を流すことで、誘導加熱用コイルの内側に、時間的に変化する交番磁界を発生させる。この交番磁界は被熱物に鎖交し、被熱物内部で電磁誘導作用が生じて起電力が誘導される。この起電力によって被熱物内部に渦電流が流れると被熱物自身がもつ内部抵抗によってジュール熱が生じ、加熱される。このように誘導加熱は、対象物自体が発熱するため効率的な加熱方法であり、急速昇温に向いている。
【００１６】
図１および図２は、本実施形態の固体酸化物形燃料電池システムを示す図である。図２はコイルの一部が断面で示されている。本実施形態の固体酸化物形燃料電池システムは、セルとセパレータとを複数交互に直列に積層したセルスタック１と、このセルスタック１を囲むように配置されたコイル（加熱用コイルともいう）２と、コイル２に交流電流を供給する電流供給手段（図示せず）とを備えている。
【００１７】
セルスタック１は、セルとセパレータが積層されたものであって、セラミックスと金属の集合体である。従って、図１に示したように、セルスタック１を囲むように加熱用コイル２を配置した状態で、加熱用コイル２に交流電流を流すと、セルスタック１が誘導加熱する。すなわち、セルスタック１を構成する導電性材料に渦電流が発生し、それに伴ってセルスタック１が自己発熱する。
【００１８】
誘導加熱による対象物の加熱の程度は、加熱用コイル２の形状や電流などによって変化する。従って、加熱用コイル２の形状は特に制限するものではなく、搭載するセルスタック１のサイズや形状に応じて効果的なコイル径、巻き数および形状を選ぶことが好ましい。すなわち、セルスタック１全体が加熱できるように、コイル２の形状および設置場所を決める。例えば、図１に示すようにコイル２の内側にセルスタック１を収容し、尚且つ、コイル２がセルスタック１全体をむらなく加熱できるように、セルスタック１のサイズや形状に応じた効果的なコイル径、巻き数および形状のコイル２が使用される。
【００１９】
加熱用コイル２は、高周波の交流電流を流すため、良導電体であることが好ましい。通常は銅製の中空管でコイル２を形成し、中空管中に水を流してコイルを冷却する。ただし、図１に示す構成では、加熱コイル２の内部にセルスタック１が配置されているので、セルスタック１と加熱用コイル２との間に断熱材などを設置しない限りにおいては、加熱コイル２もセルスタック１の動作温度付近まで昇温されることになる。
【００２０】
加熱用コイル２による加熱は、基本的には急速起動用であるので、通常の動作時には使用しない。しかし、セルスタック１全体を急速かつ均一に加熱するために、コイル２はセルスタック１の周りを囲むように配置しているため、セルスタック１と同じ動作環境（高温、酸化雰囲気）に晒される。すなわち、加熱用コイル２はその高温下において、大気や排気ガス雰囲気（酸化雰囲気）に晒される。従って、加熱用コイル２は高温・酸化雰囲気である環境下でも良導電性を発揮できるものである必要がある。例えば、耐熱鋼や耐熱銅合金などが好ましい。
【００２１】
また、高温・酸化雰囲気下においてもコイル２の酸化を抑制し、コイル２自体の寿命を向上させる手段としては、加熱用コイル２の表面を酸化皮膜でコーティングするなどして大気や排気ガスと直接触れないようにすることも有効である。加熱用コイル２の表面を覆う酸化皮膜は、コイル２から発生する磁場をなるべく吸収させず、コイル２の発生させる磁界をセルスタックへ十分に伝える物質にする。すなわち加熱用コイル２の表面を覆う酸化皮膜は、透磁率が小さく、皮膜の厚みもなるべく薄いことが好ましい。例えばアルミナやクロミナ、チタニアなどが挙げられる。
【００２２】
また、加熱用コイル２に交流電流を供給する電流供給手段は、システム起動時に、加熱用コイル２に交流電流を供給することにより、セルスタック１を誘導加熱している。すなわち、電流供給手段は、加熱用コイル２とともに、加熱機構として動作する。電流供給手段は、システム起動時に、加熱用コイル２に高周波の交流電流を供給することができる手段であれば特に限定されない。
【００２３】
以上の固体酸化物形燃料電池システムによれば、セルスタックの温度を急速に昇温するための加熱機構を備えているので、ＳＯＦＣシステムの動作温度に到るまでの時間が短縮でき、結果としてＳＯＦＣシステムの起動時間を短縮することができる。
【符号の説明】
【００２４】
１  セルスタック
２  コイル（加熱用コイル）
【図１】
2015141799.tif 000003
【図２】
2015141799.tif 000004